(57)【要約】本発明は、光ファイバボディ（２）を有する細長いディスプレイファイバ（１）に係る。該光ファイバボディは、前出のファイバ（１）の長さに沿って分布する複数のピクセル位置を有する。少なくとも１つの光源（３）は、その少なくとも１つの端部から前出のファイバ（１）を選択的に照射するよう配置される。アドレス指定手段は、前出のピクセル位置の各々のうち１つの順次アドレス指定に対して前出のファイバと作動可能に関連付けられる。ディスプレイファイバ（１）は、更に、前出のピクセル位置のうちの前出のアドレス指定された１つにおいて前出のファイバ（１）に光を選択的に発させる手段を有する。本発明は更に、本発明に従った少なくとも１つの細長いディスプレイファイバ（１）を有するディスプレイ装置（１１）に係る。
2007526515.tif 000002
【特許請求の範囲】
【請求項１】
細長いディスプレイファイバであって、
前記ファイバの長さに沿って分布する複数のピクセル位置を有する光ファイバボディを有し、
更には：
前記ファイバの少なくとも一端から光を有して前記ファイバを選択的に照射するよう配置された少なくとも１つの光源と；前記ピクセル位置の各々のうち１つの順次アドレス指定に対して前記ファイバと作動可能に関連付けられた手段と；前記ピクセル位置の前記アドレス指定された１つにおいて前記ファイバが選択的に前記光を発するようにする手段と、
を有する、ことを特徴とする、
細長いディスプレイファイバ。
【請求項２】
前記ファイバは、環状ファイバである、ことを特徴とし、
エレクトロウェッティング物質は、前記環状ファイバの内側に有され、前記エレクトロウェッティング物質の液滴又はメニスカスが前記ピクセル位置のうちの１つにおいてエレクトロウェッティングを用いて位置付けられ得るようアドレス指定され得るよう配置される、
請求項１記載の細長いディスプレイファイバ。
【請求項３】
前記環状ファイバは、第１の透明な液体と第２の光散乱液体とである２つの非混和性のエレクトロウェッティング液体で充填され、
前記第１の透明な液体は、前記第１の透明な液体を光導体にする屈折率を有し、
前記光散乱液体は、望ましくは、粘性消散を低減するよう制限された長さの液滴である、
請求項２記載の細長いディスプレイファイバ。
【請求項４】
前記環状ファイバは、パターン化した導電性の透明な外側コーティングと、フォビック内側コーティングとを備えられる、ことを特徴とし、
前記パターン化した導電性の透明な外側コーティングは、セグメント化され、各セグメントｉは、セグメントｉ＋ｎに対して電気的に接続され、
前記セグメントの群は、前記１つのアドレス指定されたピクセル位置において前記エレクトロウェッティング物質の前記液滴又はメニスカスをエレクトロウェッティングを用いて位置付ける前記指定手段によって連続して帯電されるよう配置される、
請求項２又は３記載の細長いディスプレイファイバ。
【請求項５】
前記ファイバは：
前記ファイバの前記長さに沿って分布する僅かに円錐状の部分と；前記ファイバの中心線に対して微細な角度を走査するよう配置された光ビーム指向手段を有する前記アドレス指定手段と；前記１つのアドレス指定されたピクセル位置において前記ファイバに前記光を選択的に発させる前記手段と、を有することを特徴とし、
前記ファイバに前記光を選択的に発させる前記手段は、前記ファイバの前記中心線に対して前記照射角度を制御する手段を有し、前記少なくとも１つの光源からのビームは前記ファイバの内側で反射され、入射の角度がブルースター角に達するまで各反射を有してその入射の角度を増大させ、前記ビームが前記ファイバの前記中心線に対する前記本来の入射の角度を介してアドレス指定された前記１つのピクセル位置において前記ファイバから逸れる、
請求項１記載の細長いディスプレイファイバ。
【請求項６】
前記ファイバは、前記エスケープビームを散乱するよう、外面の粗さの修正又は散乱被覆の追加のいずれかを介して与えられる半透明なクラッディングを有する、ことを特徴とする、
請求項５記載の細長いディスプレイファイバ。
【請求項７】
前記ファイバは、より低い屈折率を有する層によって分離される複数の導光層を有する複数層ファイバであり；前記アドレス指定手段は、前記層のうち１つを選択的に照射するよう配置された光ビーム指向手段を有し；前記層は、前記照射された層に対応して前記ピクセル位置のうちの前記アドレス指定された１つにおいて前記ファイバに前記光を発させるよう、前記ピクセル位置の異なる位置に対応して異なる長さを有する、
ことを特徴とする、
請求項１記載の細長いディスプレイファイバ。
【請求項８】
前記層は、発光範囲を増大させるようテイパされた端部を有する、ことを特徴とする、
請求項７記載の細長いディスプレイファイバ。
【請求項９】
前記層は、前記少なくとも１つの光源によって照射されるよう配置された前記１つのファイバ端部において異なる長さを有する、ことを特徴とする、
請求項７又は８記載の細長いディスプレイファイバ。
【請求項１０】
前記少なくとも１つの光源は、発光ダイオード（ＬＥＤ）等である複数の、望ましくは３つの、カラーである時変調された光源を有する、ことを特徴とする、
請求項１乃至９のうちいずれか一項記載の細長いディスプレイファイバ。
【請求項１１】
ディスプレイ装置であって、
請求項１乃至１０のうちいずれか一項記載の少なくとも１つの細長いディスプレイファイバと、関連付けられたディスプレイドライバ手段とを更に有する、ことを特徴とする、
ディスプレイ装置。
【請求項１２】
前記ディスプレイ装置の画面を定義付けるよう並列配置において並べられた複数の前記ファイバを更に有する、ことを特徴とする、
請求項１記載のディスプレイ装置。
【請求項１３】
基板を更に有し、前記複数のファイバが前記基板上に前記並列配置において並べられる、ことを特徴とする、
請求項１２記載のディスプレイ装置。
【請求項１４】
実質的に平行であるファイバのアレイとして並べられた前記複数の前記ファイバを更に有する、ことを特徴とする、
請求項１１乃至１３のうちいずれか一項記載のディスプレイ装置。
【請求項１５】
ファブリックの縦糸又は横糸において並べられた複数の前記ファイバを更に有する、
請求項１１記載のディスプレイ装置。
【請求項１６】
ファブリックにおいて蛇行するファイバとして並べられた複数の前記ファイバを更に有する、
請求項１１記載のディスプレイ装置。
【請求項１７】
前記ファブリックは織物である、ことを特徴とする、
請求項１５又は１６記載のディスプレイ装置。
【発明の詳細な説明】
【技術分野】
【０００１】
本発明は、細長いディスプレイファイバ（ｅｌｏｎｇａｔｅｄ  ｄｉｓｐｌａｙ  ｆｉｂｅｒ）の分野に係り、特には、かかる細長いディスプレイファイバを複数有するディスプレイに係る。
【背景技術】
【０００２】
電子ディスプレイは、文章、グラフィックス、及び映像等の多種の形式のディスプレイ情報をピクセル化された画像としてユーザに対して示すよう使用される。ピクセル化されたディスプレイ情報の表示は、通常はパーソナルコンピュータの場合においてそうであるように、電子装置の必須機能であり得る。ピクセル化されたディスプレイ情報はまた、ユーザと電子装置との間の相互作用を可能にする等の電子装置の機能を高めるよう使用され得る。
【０００３】
多数の電子ディスプレイ技術が使用され、各々がそれらの適用を制限する特定の特質を有する。陰極線管（ＣＲＴ）は、例えば、コンピュータのモニタ及びテレビジョン受像機に対して広く使用される。ＣＲＴは、優れた色、コントラスト、及び輝度を有し、且つ成熟した経済的な技術である。ＣＲＴは、特に小型ではなく、その電子銃及び電子銃に対して略垂直な関係において形成されたピクセル素子によって与えられるジオメトリによって制限される。更には、ＣＲＴの真空要求は、重いガラス構造を決定付ける。故に、ＣＲＴの寸法、重量、硬脆（ｒｉｇｉｄ  ｆｒａｇｉｌｅ）構造、高加速電圧、及び消費電力は、携帯用の応用における使用を制限する。
【０００４】
ＣＲＴの代用として、プラズマスクリーン技術は、ディスプレイをＣＲＴ及びリアプロジェクションテレビジョン受像機より更に平らにし且つ幅を広げ得る。しかしながら、プラズマスクリーン技術は、製造が困難であり、故に高価である。更には、プラズマスクリーンは、ＣＲＴより平らではあるが、高駆動電圧、重量、及び剛性に対してＣＲＴが有するのと同様の制限を有する。その結果として、プラズマスクリーンディスプレイは、特定のノート型コンピュータ及び比較的高価な携帯用装置において使用される。
【０００５】
多種の他の技術は、平らでＣＲＴより軽量且つ低消費電力であり、より携帯用の応用に適切であるものを可能にする。液晶ディスプレイ（ＬＣＤ）及びアクティブマトリクスＬＣＤ（ＡＭＬＣＤ）は、例えば、ノート型コンピュータ及び個人用携帯端末（ＰＤＡ）製品において広く使用される。ある程度の可撓性及び衝撃に対する抵抗性を与えるよう、プラスチックＬＣＤが既知である。ＬＣＤは、同程度の寸法の他のディスプレイより一般的には低コストであるが、寿命の限られた使い捨ての電子製品へと内蔵するには一般的には高価すぎる。
【０００６】
既知である米国特許第６，２５９，８３８  Ｂ１号明細書（特許文献１）は、画像及び／又は情報に関するディスプレイに係る。該ディスプレイは、画面を定義付ける並列配置において並べられた複数のリニアアドレス指定をされた発光ファイバを有する。各発光ファイバは、その長さに沿って並べられた複数の発光素子を有し、その一端において駆動回路が与えた信号によってリニアアドレス指定をされる。リニアアドレス指定信号は、光学信号又は電気信号のいずれかであり、周波数変調、デジタルコード化、又はアナログコード化がなされ得る。各ピクセルに関連付けられる検出器は、リニアアドレス指定信号を検出し、それをアクティブ及び非アクティブの有機又は無機発光材料素子にデコードする。故に、発光素子は、画像及び／又は情報のピクセル又はサブピクセルを表示するよう光を発する。発光ファイバは、基板として透明なファイバを有し得、そこを介して光学信号を伝播するようにし、また、電気信号を伝播するようその長さに沿って並べられた導電体を有し得る。
【０００７】
特許文献１に従う上述されたディスプレイの問題点は、ファイバが夫々が各ピクセルと関連付けられた複数の検出器を備えられなければならないことである。これらの検出器は、リニアアドレス指定信号を検出するよう必要であり、検出された信号をデコードし、関連付けられた発光素子の活性化又は非活性化に対して与え得るよう必要とされる。故にこのことは、ファイバの複雑性を増大させ、製造をより複雑にし、関連付けられるコストを増加させる。
【０００８】
したがって、接続を殆ど有さない、軽量で、低電圧であり、低コストのディスプレイ素子が必要とされる。該ディスプレイ素子は、より経済的に製造され得、携帯用の電子機器に対するディスプレイ及び多種の応用における使用に適切である。
【特許文献１】米国特許第６，２５９，８３８Ｂ１号明細書
【発明の開示】
【発明が解決しようとする課題】
【０００９】
上述を考慮し、本発明は、改善された細長いディスプレイファイバを与えることを目的とする。該細長いディスプレイファイバは、該ファイバの長さに沿って分布された複数のピクセル位置を有する光学ファイバボディを有する。それによって、経済的に製造され得、且つ携帯用電子装置に対するディスプレイ及び装用性ディスプレイにおける使用に対して適切である軽量で低コストのディスプレイ素子は、少ない接続及びドライバを求め、また、多種の応用が達成され得る。
【課題を解決するための手段】
【００１０】
この目的は、請求項１の特徴部分に従って達成される。
【００１１】
少なくとも一端から光を有して前出のファイバを選択的に照射するよう配置された少なくとも１つの光源、各前出のピクセル位置のうちの１つの順次アドレス指定に対してファイバと動作可能に関連付けられる手段、及び、前出のピクセル位置のアドレス指定された１つにおいてファイバに前出の光を選択的に発させる手段を与えることによって、上述の目的は達成される。
【００１２】
望ましい実施例は、従属項に記載される。
【００１３】
照射されるべきピクセル位置のアドレス指定は、環状ファイバである前出のファイバを介して促進され得る。エレクトロウェッティング物質は、該環状ファイバ内部に有され、その液滴（ｄｒｏｐ）又はメニスカスが前出のピクセル位置のうちの１つにおいてエレクトロウェッティングを用いて位置付けられるようにアドレス指定され得るよう配置される。該液滴又はメニスカスは、アドレス指定されたピクセル位置においてファイバから出る光を散乱及び結合するよう配置される。
【００１４】
アドレス指定は、２つの非混和性エレクトロウェッティング液体で充填された前出の環状ファイバを解して促進され得る。２つのエレクトロウェッティング液体のうち、第１の透明な液体は、それを光導体にする屈折率を有し、第２の液体は、光散乱液体であり、望ましくは粘性消散を低減するよう制限された長さの液滴である。
【００１５】
アドレス指定を更に促進するよう、前出の環状ファイバは、パターン化した導電性の透明な外側コーティング、及びフォビック（ｐｈｏｂｉｃ）内側コーティングを備えられる。パターン化した導電性の透明な外側コーティング（６）は、セグメント化され、各セグメントｉは、セグメントｉ＋ｎに対して電気的に接続される。該セグメントの群は、前出の１つのアドレス指定されたピクセル位置においてエレクトロウェッティングを用いてエレクトロウェッティング物質（４）の液滴又はメニスカスを位置付ける前出のアドレス指定手段によって連続して帯電されるよう配置される。
【００１６】
あるいは、アドレス指定は、前出のファイバを介して促進され得る。該ファイバは、ファイバの長さに沿って分布された僅かに円錐の区分、該ファイバの中心線に関して微細な角度を走査するよう配置された光ビーム指向手段を有する前出のアドレス指定手段、１つのアドレス指定されたピクセル位置においてファイバに選択的に光を発させる前出の手段を有する。前出の手段は、ファイバの中心線に対する照射角度を制御する手段を有し、少なくとも１つの光源からのビームはファイバの内部で反射され、入射の角度がブルースター角度に達するまで各反射を有する入射角を増大させ、前出のビームはファイバの中心線に対する本来の入射角を介してアドレス指定された１つのピクセル位置においてファイバから逸れる（ｅｓｃａｐｅｓ）ようにされる。
【００１７】
前出のエスケープビーム（ｅｓｃａｐｉｎｇ  ｂｅａｍ）を散乱させるよう、前出のファイバは、外面の粗さの修正又は散乱（ミルク状）コーティングの追加のいずれかを介して半透明のクラッディングを備えられ得る。
【００１８】
更なる代替案として、アドレス指定は、より低い屈折率を有する層によって分離された複数の光導層を有する多層ファイバである前出のファイバを介して達成され得る。前出のアドレス指定手段は、該層のうちの１つを選択的に照射するよう配置された光ビーム指向手段を有する。該層は、ピクセル位置のうち異なる位置に対応して異なる長さを有し、照射された層に対応するピクセル位置のうちの指定された１つにおいてファイバが光を発するようにする。
【００１９】
製造を促進し、発光範囲を増大させるよう、前出の層は、テイパされた端部を備えられ得る。
【００２０】
前出のファイバへの光の結合を促進するよう、前出の層は、少なくとも１つの光源によって照射されるよう配置された１つのファイバ端部において異なる長さを与えられ得る。
【００２１】
カラーディスプレイに機能を与えるよう、少なくとも１つの光源は、発光ダイオード（ＬＥＤ）等である複数の、望ましくは３つの、カラーである時変調された光源を有し得る。
【００２２】
少なくとも１つの細長いディスプレイファイバを有するディスプレイ装置は、ディスプレイドライバ手段をディスプレイファイバと関連付けることを介して達成され得る。
【００２３】
ディスプレイ装置の増大された寸法の画面は、各々が関連付けられたディスプレイドライバ手段を有する複数のディスプレイファイバを並列配置において並べることを介して達成され得る。
【００２４】
構造上定義付けられた画面を与えるよう、ディスプレイ装置は、基板を備えられ得、該基板上に前出の複数のファイバが並列配置において並べられる。
【００２５】
改善された良質の画像再生を与えるディスプレイ装置の画面は、画面を作る実質的に平行なファイバのアレイとしてファイバを並べることを介して達成され得る。
【００２６】
画面を衣類上及び多種の他の繊維製品状の応用上に与えるためにディスプレイ装置の使用を可能にするよう、ファイバは、ファブリックの縦糸又は横糸において並べられ得る。
【００２７】
画面を衣類上及び多種の他の織物状の応用上に与えるようディスプレイ装置の使用を可能にするために、ファイバは、ファブリックにおいて蛇行するファイバとして並べられ得る。
【発明を実施するための最良の形態】
【００２８】
複数の図にわたり、同様の参照符号は同様の要素を示す。
【００２９】
本発明の更に他の目的及び特徴は、添付の図面を併せて考察された以下の詳細な説明から明らかになるであろう。しかしながら、図面が例証の目的のみに対して設計されたものであり且つ本発明を制限するものではなく、参照は添付の請求項に対してなされるべきであることは、理解されるべきである。更には、図面が必ずしも実寸大に描かれていないこと、及び、特記されない限り図面がここで説明される構造及び手順を理論的に例証するようにのみ意図されることは、理解されるべきである。
【００３０】
本発明によれば、細長いディスプレイファイバ１は、長さに沿って分布された複数のピクセル位置を有する光ファイバボディ２を有する。ファイバ１は、ファブリック等の織物を作ることが可能である、編込み可能且つ装用性のポリマファイバである。少なくとも１つの光源３は、その少なくとも１つの端部から光を有してファイバ１を選択的に照射するよう配置される。全ての図面において、光は、点線の矢印によって示される。アドレス指定手段（図示せず）は、各ピクセル位置のうち１つの順次アドレス指定に対してファイバ１と動作可能に関連付けられる。ファイバ１は、更に、ピクセル位置のうちアドレス指定された１つにおいてファイバに選択的に光を発させる手段を有する。
【００３１】
図１に示される通り、第１の実施例に従ったファイバ１は、環状ファイバである。エレクトロウェッティング物質４は、環状物質の内側に有され、その液滴又はメニスカスがエレクトロウェッティングを用いてピクセル位置のうちの１つにおいて位置付けられるようアドレス指定され得るように配置される。液滴又はメニスカスは、アドレス指定されたピクセル位置においてファイバ１から出る光を散乱及び結合するよう配置される。
【００３２】
環状ファイバ１は、望ましくは、２つの非混和性の液体で充填される。該液体のうち、第１の透明の液体は、それを光導体にする屈折率を有し、第２の液体は光散乱液体である。光散乱液体は、望ましくは、粘性消散を低減するよう制限された長さの液滴である。しかしながら環状ファイバはまた、図２中に示される通り、１つのみの透明な液体４を有し得、該液体の散乱メニスカスがエレクトロウェッティングによって動くようにされるか、あるいは、図３中に示される通り、１つのみの散乱液体４を有し得、光導体として動作する空の環の残りの部分を有してエレクトロウェッティングによって該液体のメニスカスが動かされる。エレクトロウェッティング物質４の動作は、夫々実線の矢印によって図１，２及び３中に示される。ファイバ１の両端において光源３を有する適用において、２つの液滴又はメニスカスは適切である。
【００３３】
更には、図１，２及び３中の実施例に従った環状ファイバ１は、望ましくは、パターン化した導電性の透明な外側コーティング６（明確にするため、図１，２及び３中に拡大されて図示される）、及びフォビック内側コーティング７を備えられる。パターン化した導電性の透明な外側コーティング６は、セグメント化され、各セグメント「ｉ」は、例えば、セグメント「ｉ＋ｎ」に対して電気的に接続され、例えば図１，２及び３中、「ｉ」＝３である。これらのセグメントの群は、前出の１つのアドレス指定されたピクセル位置においてエレクトロウェッティング物質４の液滴又はメニスカスをエレクトロウェッティングを用いて位置付けるアドレス指定手段によって連続して帯電されるよう配置される。この配置を介して、流体４は、光源３と同期する約５０Ｈｚ走査速度でファイバ１において前後に、あるいは、又はファイバループにおいて連続的に動かされ得る。最先端のエレクトロウェッティング技術を使用して、ファイバ１の可撓性及び装用性を与えるようディスプレイ品質に対する十分な走査速度の組合せに十分小さい環の直径を与えることが可能である、ことは予測される。
【００３４】
色の表示等の特定の適用に対しては、少なくとも１つの光源３は、発光ダイオード（ＬＥＤ）等である複数の、望ましくは３つの、カラーである時変調された光源３の組合せを有し得る。更には、２つの光源３は、その両端からファイバ１を選択的に照射するよう配置され得る。散乱液滴又はメニスカスは、望ましくは、１０−１２０Ｈｚの走査速度で環状ファイバにおいてエレクトロウェッティングによって動かされ、時間距離原則を与える。
【００３５】
この第１の実施例に従ったディスプレイファイバ１は、典型的には、３つのＬＥＤドライバ等の時変調された光源３に対するドライバ、及びエレクトロウェッティングドライバを要求するのみであり、所望されるファイバ１に対する接続の数を最低限に抑える。
【００３６】
第１の実施例に従った細長いディスプレイファイバ１は、典型的には、３つのＬＥＤドライバ等である時変調された光源３に対するドライバ、及びエレクトロウェッティングドライバを要求するのみであり、所望されるファイバ１に対する接続の数を最低限に抑える。
【００３７】
第１の実施例に従った細長いディスプレイファイバ１は、回転が固定される構造において使用される適用に対して、ファイバ１の前方で輝度を高めるようファイバ１の円周の略１８０°までカバーし得るバックリフレクタ（図示せず）を更に有し得る。代替案として、バックリフレクタは、ファイバ１の前方で輝度を高めるよう対応する手法においてファイバ１の後方に配置され得る。
【００３８】
図４中、長さに沿って分布された複数のピクセル位置を有する光ファイバボディを有する細長いディスプレイファイバ１の第２の実施例が示される。また、このファイバ１は望ましくは、ファブリック等の織物を作り得る、編込み可能且つ装用可能なポリマファイバである。少なくとも１つの光源３は、その少なくとも１つの端部からファイバ１を選択的に照射するよう配置される。アドレス指定手段（図示せず）は、各ピクセル位置のうちの１つの順次アドレス指定に対してファイバ１と動作可能に関連付けられる。ファイバ１は、更には、ピクセル位置のうちアドレス指定された１つにおいて選択的にファイバ１が光を発するようにする手段を有する。
【００３９】
第２の実施例に従ったディスプレイファイバ１は、ファイバ１の長さに沿って分布された僅かに円錐形であるファイバ区分８を有する。カラーのディスプレイ等の特定の適用に対しては、少なくとも１つの光源３は、発光ダイオード（ＬＥＤ）等である複数の、望ましくは３つの、カラーである時変調された光源３の組合せを有し得る。この実施例において、アドレス指定手段は、ファイバ１の中心線に対して微小な角度を走査するよう配置された光ビーム指向手段を有する。１つのアドレス指定されたピクセル位置においてファイバ１に選択的に光を発させる手段は、ファイバ１の中心線に対する照射角度を制御する手段を有し、少なくとも１つの光源３からのビームはファイバ１の内部で反射され、前出の入射角がブルースター角度に達するまで各反射を有して入射角を増大させ、前出のビームは１つのピクセル位置においてファイバ１から逸れる。
【００４０】
エスケープビームを散乱させるよう、ディスプレイファイバ１は、外面の粗さの修正又は散乱（ミルク状）コーティングのいずれかを介して与えられる半透明のクラッディング９を有する。
【００４１】
前の実施例に従ったファイバに関しては、第２の実施例に従った細長いディスプレイファイバ１は、回転が固定される構造において使用される適用に対して、ファイバ１の前方で輝度を高めるようファイバ１の円周の略１８０°までカバーし得るバックリフレクタ（図示せず）を更に有し得る。代替案として、バックリフレクタは、ファイバ１の前方で輝度を高めるよう対応する手法においてファイバ１の後方に配置され得る。
【００４２】
第３の実施例に従ったディスプレイファイバ１は、より低い屈折率を有する層１１によって分離された複数の光導層１０を有する多層ファイバである。特定の適用に対して、色の表示等の特定の適用に対しては、少なくとも１つの光源３は、発光ダイオード（ＬＥＤ）等である複数の、望ましくは３つの、カラーである時変調された光源３の組合せを有し得る。アドレス指定手段は、層１０のうちの１つを選択的に照射するよう配置された光ビーム指向手段（図５及び６中に実線矢印（ｆｕｌｌ  ａｒｒｏｗ）で概略的に図示）を有する。層１０は、ピクセル位置の異なる位置に対応して異なる長さを有し、照射された層１０に対応するピクセル位置のうちのアドレス指定された１つにおいてファイバ１に光を発させるようピクセル位置のうち異なる位置に対応する異なる長さを有する。
【００４３】
ビーム指向に対する耐性を拡大するよう、層１０は、前出の１つのファイバ端部において異なる長さを与えられ得る。該端部は、図６中に示される通り、ファイバへの光の結合に対して少なくとも１つの光源３によって照射されるよう配置される。
【００４４】
発光範囲を増大させるよう、層１０は、図７中に示される通り、テイパされた端部を有するよう配置され得る。
【００４５】
第３の実施例に従った細長いディスプレイファイバ１は、回転が固定される構造において使用される適用に対して、ファイバ１の前方で輝度を高めるようファイバ１の円周の略１８０°までカバーし得るバックリフレクタ（図示せず）を更に有し得る。代替案として、バックリフレクタは、ファイバ１の前方で輝度を高めるよう対応する手法においてファイバ１の後方に配置され得る。
【００４６】
本発明はまた、本発明に従った少なくとも１つの細長いディスプレイファイバ１、及び関連付けられたディスプレイドライバ手段１２を有するディスプレイ装置１１を有する。
【００４７】
第１の実施例では、図８中に概略的に示される通り、ディスプレイ装置１１は、画面を定義付けるよう並列配置において並べられた複数の細長いディスプレイファイバ１を有する。特定の適用に対して所望される場合、ディスプレイファイバ１は、可撓性の基板であり得るバッキング基板（図示せず）上に並べられ得る。ファイバ１は、望ましくは、均質な画面を作るよう実質的には平行なファイバ１のアレイとして並べられる。各ファイバ１は、その端部に対して接続されたディスプレイドライバ手段１２と関連付けられる。
【００４８】
第２の実施例では、図９中に図示される通り、ディスプレイ装置１１は、複数のディスプレイファイバ１を有する。該ファイバは、他のファイバ１３と共に望ましくは織物であるファブリックにおいて並べられ、画面を定義付ける。ファイバ１は、ファブリックの縦糸又は横糸において、あるいは、ファブリックにおける蛇行するファイバ１として並べられ得る。第１の実施例にある通り、各ファイバ１は、その一端に対して接続されるディスプレイドライバ手段１２と関連付けられる。この第２の実施例に従った配置は、装用性ディスプレイの製造に大変有利である。
【００４９】
故に、望ましい一実施例に対して適用される本発明の基本的な新しい特性が示され、説明され且つ指摘されてきたが、図示された形式及び詳細において及び装置の稼働中において、多種の省略、代替、及び変更は、本発明の趣旨から逸脱せずに当業者によってなされ得る。例えば同一の結果を達成するよう略同一の手法において略同一の機能を実行する要素及び／又は方法段階の全ての組合せが本発明の範囲内である、ことは明確に意図される。更には、本発明の開示された形式又は実施例と共に示さた及び／又は説明された構造及び／又は要素及び／又は方法段階が、一般的な設計の選択として他の開示又は説明又は提案された形式又は実施例において組み込まれ得る、ことは認識されるべきである。したがって、添付の請求項の範囲によって示される通りにのみ制限されることが意図される。
【図面の簡単な説明】
【００５０】
【図１】本発明に従ったディスプレイファイバの第１の実施例の概略図である。
【図２】本発明の第１の実施例に従ったディスプレイファイバの他の構造を図示する。
【図３】本発明の第１の実施例に従ったディスプレイファイバの更に他の構造を図示する。
【図４】本発明に従ったディスプレイファイバの第２の実施例の概略図である。
【図５】本発明に従ったディスプレイファイバの第３の実施例の概略図である。
【図６】本発明の第３の実施例に従ったディスプレイファイバの他の構造を図示する。
【図７】本発明の第３の実施例に従ったディスプレイファイバの更に他の構造を部分的に図示する。
【図８】本発明に従ったディスプレイ装置の第１の実施例の概略図である。
【図９】本発明に従ったディスプレイ装置の第２の実施例の概略図である。
【図１】
2007526515.tif 000003
【図２】
2007526515.tif 000004
【図３】
2007526515.tif 000005
【図４】
2007526515.tif 000006
【図５】
2007526515.tif 000007
【図６】
2007526515.tif 000008
【図７】
2007526515.tif 000009
【図８】
2007526515.tif 000010
【図９】
2007526515.tif 000011
【国際調査報告】
2007526515.tif 000012
2007526515.tif 000013
2007526515.tif 000014
2007526515.tif 000015
2007526515.tif 000016